(57)【要約】【課題】  特色をＣＭＹＫで表現する印刷装置において、オーバープリントの指定があって特色同士或いは特色とその他の色が重なる場合に、色材が１００％を超えて表現される部分についても正しく印刷する。【解決手段】  特色をＣＭＹＫで表現する印刷装置において、オーバープリントが指定されている場合は、特色指定のオブジェクトを特色の種類毎とそれ以外のオブジェクトとで特色の指定数＋１のＰＤＬコマンドに分離し、複数回に分けて印刷を繰り返す。【選択図】  図１
2012218379.tif 000002
【特許請求の範囲】
【請求項１】
特色をＣＭＹＫの組み合わせで表現する画像処理装置において、
ＰＤＬコマンドを受信する受信部と、
前記受信したＰＤＬコマンドを解析するＰＤＬコマンド解析部と、
前記解析したＰＤＬコマンドを複数のＰＤＬコマンドに分離するＰＤＬコマンド分離部と、
前記ＰＤＬコマンド分離部において分離されたＰＤＬコマンドを格納するＰＤＬコマンド格納部と、
前記ＰＤＬコマンドにおいて特色が指定されている場合は特色をＣＭＹＫに変換する特色ＣＭＹＫ変換部と、
前記ＰＤＬコマンドから印刷画像を生成する画像形成部と、
印刷の指示があった場合に給紙する給紙部とを備え、
前記ＰＤＬコマンド分離部において特色を含むＰＤＬコマンドとそれ以外とを分離し、特色を含むＰＤＬコマンドについては前記特色ＣＭＹＫ変換部において特色をＣＭＹＫに変換することを特徴とする画像形成装置。
【請求項２】
複数の画像処理装置が連続通紙、連続印刷可能に接続されていて、各画像処理装置は、前記画像形成部で生成された印刷画像を印刷する印刷部と、前記分離されたＰＤＬコマンドの一部を他の画像処理装置に送信する送信部とをさらに備え
前記ＰＤＬコマンド格納部に格納されているＰＤＬコマンドを前記送信部を通じて他の画像処理装置に送信し、
特色指定のＰＤＬコマンドについては前記特色ＣＭＹＫ変換部において特色をＣＭＹＫに変換し、
それぞれの画像形成部で印刷画像を生成し一方の画像処理装置から給紙された紙に対して順に他方の画像処理装置の印刷部で印刷を行うことを特徴とする請求項１記載の画像形成装置。
【請求項３】
前記画像形成部で生成された印刷画像を印刷する印刷部さらに備え、前記ＰＤＬコマンド格納部に格納されているＰＤＬコマンドを順に呼び出して、ＰＤＬコマンドが特色の場合は前記特色ＣＭＹＫ変換部で特色をＣＭＹＫに変換し、前記画像形成部で印刷画像を生成し、前記印刷部で印刷した後、前記印刷の指示があった場合は前記給紙部から用紙を給紙することを特徴とする請求項１記載の画像形成装置。
【請求項４】
特色をＣＭＹＫの組み合わせで表現する画像処理装置における画像処理方法において、
ＰＤＬコマンドを受信する工程と、
前記受信したＰＤＬコマンドを解析する工程と、
前記解析したＰＤＬコマンドを複数のＰＤＬコマンドに分離する工程と、
前記分離されたＰＤＬコマンドを格納する工程と、
前記ＰＤＬコマンドで特色が指定されている場合に特色をＣＭＹＫに変換する工程と、
前記ＰＤＬコマンドから印刷画像を生成する工程と、
印刷の指示があった場合に給紙する工程とを備え、
前記分離する工程において特色を含むＰＤＬコマンドとそれ以外とを分離し、特色を含むＰＤＬコマンドについては前記変換する工程において特色をＣＭＹＫに変換することを特徴とする画像形成方法。
【請求項５】
請求項４に記載の画像処理方法をコンピュータに実行させるプログラム。
【発明の詳細な説明】
【技術分野】
【０００１】
本発明は、特色をＣＭＹＫに分版して重ねることで表現する画像処理装置において、特色とＣＭＹＫの通常色とを重ねて印刷する際に重なりの部分を正確に表現する印刷方法並びに印刷方法を実行するプログラムに関する。
【背景技術】
【０００２】
例えば会社のロゴ等明確に色が指定されている場合、印刷機においてはインキを混ぜ合わせて調整した特色インキを作りＣＭＹＫ版に特色を加えた5色以上の版で印刷する方法がとられている。これに対して一般に使用される電子写真ではＣＭＹＫの4色で構成されることが通例であり、特色はＣＭＹＫに分解してこれを重ねることで表現している。また、印刷機においては、ＣＭＹＫ特色の版をそれぞれ作成して、それらを重ねて印刷する分版合成という手法が一般である。電子写真においてはこの分版合成に対応するため、ＣＭＹＫ特色の版をそれぞれ受信し、特色をＣＭＹＫの版に分けてその他の受信したＣＭＹＫの版と合成してから、ＣＭＹＫの4つの版を合成して印刷するオーバープリントという機能でこれに対応している。電子写真ではPOD市場において印刷機による印刷前のシミュレーションや印刷機のそのものの置き換えとして使用されるため、前述の特色のＣＭＹＫトナーによる再現とオーバープリントという技術でこれに対応している。ところで、従来の特色のオーバープリントには、ＣＭＹＫの通常色に対してカラーマネージメントを行い特色に対してはカラーマネージメントを行わずにオーバープリントを行うことによって正確な特色の色再現を施すというものがある（例えば、特許文献１参照）。
【先行技術文献】
【特許文献】
【０００３】
【特許文献１】特開2004-148535
【発明の概要】
【発明が解決しようとする課題】
【０００４】
従来技術を用いて特色のオーバープリントを行った場合の処理結果を図１６に示す。例えば特色(1601)がC=100%(1602), Y=100%(1603)であり、これに通常色Y=50%(1504)の版をオーバープリントしようとした場合を想定する。この場合、特色と通常色との重なり部分(1605)はY=100%を超えて印刷することはできないためにC=100%, Y100%で表現される(1606)ことになる。印刷機においてはグリーンインキとイエローインキがそれぞれ載るために重なり部分はグリーンインキの上にイエローインキが載っているように見えるが、電子写真においては重なって見えないという問題があった。ここで図１６は特色をＣＭＹKに分解し、通常色（ＣＭＹＫのいずれか或いはそれらの組み合わせで示される色）との合成を説明するものである。
【課題を解決するための手段】
【０００５】
上記課題を解決するため、本発明は、特色をＣＭＹＫの組み合わせで表現する画像処理装置において、ＰＤＬコマンドを受信する受信部と、前記受信したＰＤＬコマンドを解析するＰＤＬコマンド解析部と、前記解析したＰＤＬコマンドを複数のＰＤＬコマンドに分離するＰＤＬコマンド分離部と、前記ＰＤＬコマンド分離部において分離されたＰＤＬコマンドを格納するＰＤＬコマンド格納部と、前記ＰＤＬコマンドで特色が指定されている場合は特色をＣＭＹＫに変換する特色ＣＭＹＫ変換部と、前記ＰＤＬコマンドから印刷画像を生成する画像形成部と、印刷の指示があった場合に給紙する給紙部とを備え、前記ＰＤＬコマンド分離部において特色を含むＰＤＬコマンドとそれ以外とを分離し、特色を含むＰＤＬコマンドについては前記特色ＣＭＹＫ変換部において特色をＣＭＹＫに変換することを特徴とする画像形成装置を提供する。
【発明の効果】
【０００６】
これにより、各色のトナーを100%を超えて載せることが可能となり、特色のオーバープリントをより印刷機に近い形で再現することが可能となる。
【図面の簡単な説明】
【０００７】
【図１】本発明の一実施形態としてのシステム構成の説明
【図２】本発明の一実施形態としてのデータを受信してから印刷するまでのフローチャート
【図３】本発明の一実施形態としてのシステム構成の説明
【図４】本発明の一実施形態としてのデータを受信してから印刷するまでのフローチャート
【図５】本発明の一実施形態としてのシステム構成の説明
【図６】本発明の一実施形態としてのデータを受信してから印刷するまでのフローチャート
【図７】本発明の一実施形態としてのシステム構成の説明
【図８】本発明の一実施形態としてのデータを受信してから印刷するまでのフローチャート
【図９】本発明の一実施形態としてのシステム構成の説明
【図１０】本発明の一実施形態としてのデータを受信してから印刷するまでのフローチャート
【図１１】本発明の一実施形態としての画像の状態遷移の一例
【図１２】本発明の一実施形態としての画像の状態遷移の一例
【図１３】本発明の一実施形態としての画像の状態遷移の一例
【図１４】本発明の一実施形態としての画像の状態遷移の一例
【図１５】本発明の一実施形態としての画像の状態遷移の一例
【図１６】従来技術における画像の状態遷移の一例
【図１７】本発明の一実施形態としてのＰＤＬコマンドの描画例
【図１８】本発明の一実施形態としてのＰＤＬコマンドの構成の説明
【図１９】本発明の一実施形態としてのＰＤＬコマンドの構成の説明
【図２０】本発明の一実施形態としてのＰＤＬコマンドの構成の説明
【図２１】本発明の一実施形態としてのＰＤＬコマンドの構成の説明
【図２２】本発明の一実施形態としてのＰＤＬコマンドの構成の説明
【図２３】本発明の一実施形態としてのＰＤＬコマンドの構成の説明
【図２４】本発明の一実施形態としてのＰＤＬコマンドの構成の説明
【図２５】本発明の一実施形態としての特色リストの一例
【図２６】本発明の一実施形態としてのＩＤとジョブの管理リストの一例
【図２７】本発明の一実施形態としてのＰＤＬコマンドの構成の説明
【図２８】本発明の一実施形態としてのユーザインターフェースの一例
【図２９】本発明の一実施形態としてのユーザインターフェースの一例
【発明を実施するための形態】
【０００８】
本発明は、特色をＣＭＹＫの組み合わせで表現する画像処理に関するものである。以下、本発明を実施するための最良の形態について図面を用いて説明する。なお、以下の記述において、「ＰＤＬコマンド」とは、ＰＤＬ(Page Description Language)においてプリンタに対して描画を指示するためのコマンドである。
【０００９】
［実施形態１］
本発明の実施形態１に係る画像処理装置について説明する。図１は、本実施形態のシステム構成図である。
【００１０】
システム１００は、メモリ１０１、受信部１０６、ＰＤＬコマンド解析部１０７、ＰＤＬコマンド分離部１０８、特色ＣＭＹＫ変換部１０９、ユーザインターフェース１１０、給紙部１１１、画像形成部１１２、印刷部１１３で構成されている。メモリ１０１は、複数のＰＤＬコマンド格納部を備える。即ち、受信したＰＤＬコマンドを格納する受信ＰＤＬコマンド領域１０２、分離されたＰＤＬコマンドを格納するＰＤＬコマンド領域１０３、分離された特色からなるＰＤＬコマンドを格納する特色ＰＤＬコマンド領域１０４を備える。メモリ１０１はさらに、前記受信したＰＤＬコマンドに特色が含まれていたか否かを示すための特色ありフラグ領域１０５を備える。受信部１０６は、ネットワーク経由でＰＤＬコマンドを受信する。ＰＤＬコマンド解析部１０７は、前記受信したＰＤＬコマンドを解析する。ＰＤＬコマンド分離部１０８は、前記受信したＰＤＬコマンドを特色とそれ以外で分離する。特色ＣＭＹＫ変換部１０９は、特色をＣＭＹＫの内の１色以上に分解する。ユーザインターフェース１１０は、ユーザからの指示を受ける。給紙部１１１は、印刷用紙を受け取る。画像形成部１１２は、前記ＰＤＬコマンド或いは特殊ＰＤＬコマンドから印刷用データを形成する。印刷部１１３は、前記画像形成部で形成した画像を印刷する。
【００１１】
図２は、受信部１０６がＰＤＬコマンドを受信してから印刷部１１３で印刷するまでの流れを示すフローチャートである。なお、図１１〜図１５はこの処理の流れにおける画像の変化について、図１７はＰＤＬコマンド１８０１の描画図について説明するものである。また、図１８〜２１はこの処理の流れにおけるＰＤＬコマンドの変化について、図２８は２度目の印刷を促すためのユーザインターフェースについて説明するものである。
【００１２】
図２のステップＳ２０１において、受信部１０６でＰＤＬコマンドを受信し、メモリ１０１の受信ＰＤＬコマンド領域１０２に格納してステップＳ２０２へ進む。この時、受信ＰＤＬコマンド領域１０２には、ＰＤＬコマンド１８０１（図１８）、１９０１（図１９）、２００１（図２０）、２１０１（図２１）のいずれかが格納されている。ステップＳ２０２において、メモリ１０１の特色ありフラグ１０５をクリアし、ステップＳ２０３へ進む。ステップＳ２０３において、メモリ１０１にＰＤＬコマンド領域１０３を獲得し、ステップＳ２０４へ進む。
【００１３】
ステップＳ２０４において、ＰＤＬコマンド解析部１０７で受信ＰＤＬコマンド領域に格納された前記受信ＰＤＬコマンドを解析し、オーバープリントが指定されているか確認し、オーバープリントが指定されている場合はステップＳ２０５へ進む。つまり、受信ＰＤＬコマンド領域１０２に格納されている、ＰＤＬコマンド１８０１、１９０１、２００１、２１０１の内の“Overprint”が“ON”になっている場合はＳ２０５へ進む。ステップＳ２０５において、ＰＤＬコマンド解析部１０７で受信ＰＤＬコマンド領域に格納された前記受信ＰＤＬコマンドを解析し、ページの構成を示すコマンドを前記獲得したＰＤＬコマンド領域１０３にコピーし、ステップＳ２０６へ進む。この時、ＰＤＬコマンド領域１０３には、ＰＤＬコマンド１９０２、２１０５のいずれかが格納されている。ステップＳ２０６において、ＰＤＬコマンド解析部１０７で受信ＰＤＬコマンド領域に格納された前記受信ＰＤＬコマンドを解析し終えたかを確認し、解析し終えていない場合はステップＳ２０７へ進む。
【００１４】
ステップＳ２０７において、現在解析中のオブジェクトは特色が指定されているか否かを判定し、特色が指定されている場合は、ステップＳ２０８へ進む。ステップＳ２０８において、メモリ１０１に特色ＰＤＬコマンド領域が既に獲得されているか確認し、されていない場合はステップＳ２０９へ進む。ステップＳ２０９において、メモリ１０１に特色ＰＤＬコマンド領域１０４を獲得し、ステップＳ２１０へ進む。ステップＳ２１０において、ＰＤＬコマンド解析部１０７で受信ＰＤＬコマンド領域に格納された前記受信ＰＤＬコマンドを解析し、ページの構成を示すコマンドを前記獲得した特色ＰＤＬコマンド領域１０４にコピーし、ステップＳ２１１へ進む。この時特色ＰＤＬコマンド領域１０４には、ＰＤＬコマンド２１０２が格納されている。
【００１５】
ステップＳ２１１において、メモリ１０１の特色ありフラグ１０５を立て、ステップＳ２１２へ進む。ステップＳ２１２において、ＰＤＬコマンド分離部１０８で現在解析中のオブジェクト部分のコマンドを特色ＰＤＬコマンド領域１０４にコピーし、ステップＳ２０６へ戻り処理を繰り返す。この時特色ＰＤＬコマンド領域１０４には、ＰＤＬコマンド２１０３が格納されている。
【００１６】
ステップＳ２０８において、メモリ１０１に既に特色ＰＤＬコマンド領域１０４が獲得されている場合は、ステップＳ２１２に進む。また、ステップＳ２０７において、現在解析中のオブジェクトに特色が指定されていない場合は、ステップＳ２１３へ進む。ステップＳ２１３において、ＰＤＬコマンド分離部１０８で現在解析中のオブジェクト部分のコマンドをＰＤＬコマンド領域１０３にコピーし、ステップＳ２０６へ戻り処理を繰り返す。この時ＰＤＬコマンド領域１０３には、ＰＤＬコマンド２１０６が格納されている。
【００１７】
ステップＳ２０６において、前記受信ＰＤＬコマンドを解析し終えた場合はステップＳ２１４へ進む。ステップＳ２１４において、メモリ１０１の特色ありフラグを確認し、特色ありフラグが立っている場合は、ステップＳ２１５へ進む。この時、メモリ１０１のＰＤＬコマンド領域１０３にはＰＤＬコマンド２１０６であるデータ１５０６が、特色ＰＤＬコマンド領域１０４にはＰＤＬコマンド２１０３であるデータ１５０５がそれぞれ格納されている。
【００１８】
ステップＳ２１５において、メモリ１０１のＰＤＬコマンド領域１０３のＰＤＬコマンドの用紙指定を給紙段指定に再設定し、ステップＳ２１６へ進む。この時ＰＤＬコマンド領域１０３のＰＤＬコマンド２１０６の給紙段指定"PaperFeed"は"1"から"2"に変更され、ＰＤＬコマンド２１０７として格納される。ステップＳ２１６において、特色ＰＤＬコマンド領域１０４の特色を特色ＣＭＹＫ変換部１０９において図２５の特色リストに基づきＣＭＹＫの組み合わせに変換する。さらに、ＰＤＬコマンドに基づいて画像形成部１１２において印刷画像を形成し、印刷部１１３で印刷して、ステップＳ２１７へ進む。この時、データ１５０５はシアン版１５０８、マゼンタ版１５０９、イエロー版１５１０、ブラック版１５１１に変換され、出力結果１５１２を得る。
【００１９】
ステップＳ２１７において、ユーザインターフェース１１０に特色印刷スタートボタン２８０１（図２８）を表示し、給紙段"2"に出力結果１５１２がセットされ特色印刷スタートボタン２８０１が押下されたかを確認し、されていない場合はこれを繰り返す。一方、ステップＳ２１７において、給紙段"2"に出力結果１５１２がセットされ特色印刷スタートボタン２８０１が押下された場合は、ステップＳ２２０へ進む。ステップＳ２２０で、メモリ１０１のＰＤＬコマンド領域１０３のＰＤＬコマンド２１０７に基づいて画像形成部１１２において印刷画像を形成し、印刷部１１３で印刷して、終了する。この時、データ１５０６はシアン版１５１４、マゼンタ版１５１５、イエロー版１５１６、ブラック版１５１７で表わされており、給紙部１１１にある出力結果１５１２の上に印刷した出力結果１５１８を得る（図１５）。出力結果１５１８は、特色領域１５２０と通常色領域１５１９とその両方が重なった領域１５２１からなる。
【００２０】
ステップＳ２１４において、特色ありフラグが立っていない場合は、ステップＳ２２０へ進む。この時、オーバープリントが指定されているが特色が含まれない処理となり、図１２の通常色同士のオーバープリントとなる。この時、ＰＤＬコマンド領域１０３にはＰＤＬコマンド１９０４（図１９）で表わされるデータ１２０１（図１２）が格納されている。画像形成部においてシアン版１２０６、マゼンタ版１２０７、イエロー版１２０８、ブラック版１２０９の画像が形成され、印刷部１１３において入力用紙１２０５上に上記各版が印刷されて出力結果１２１０が得られる。出力結果１２１０は、通常色１２１２と１２１１、それらの重なった領域１２１３からなる。
【００２１】
ステップＳ２０４において、オーバープリントが指定されていないと判定された場合は、ステップＳ２１８へ進む。ステップＳ２１８において、メモリ１０１のＰＤＬコマンド領域１０３に全てのオブジェクト部分のコマンドをコピーし、ステップＳ２１９へ進む。この時ＰＤＬコマンド領域１０３には、ＰＤＬコマンド１８０２、２００２のいずれかが格納されている。ステップＳ２１９において、ＰＤＬコマンド領域１０３に格納の前記ＰＤＬコマンドに特色指定がある場合は、特色ＣＭＹＫ変換部１０９において特色をシアン版、マゼンタ版、イエロー版、ブラック版に分離する。そして、通常色のオブジェクトと合成して上書きし、ステップＳ２２０へ進む。この時、ＰＤＬコマンド領域１０３には２００２（図２０）で表わされるデータ１３０１（図１３）が格納されている。画像形成部においてシアン版１３０５、マゼンタ版１３０６、イエロー版１３０７、ブラック版１３０８の画像が形成され、印刷部１１３において入力用紙１３０４上に上記各版が印刷されて出力結果１３０９が得られる。出力結果１３０９は、特色領域１３１１と通常色領域１３１０からなる。或いは、特色が含まれていない場合は、ステップＳ２１９においては何もしない。この時、ＰＤＬコマンド領域１０３には１８０２で表わされるデータ１１０１（図１１）が格納されている。画像形成部においてシアン版１１０５、マゼンタ版１１０６、イエロー版１１０７、ブラック版１１０８の画像が形成され、印刷部１１３において入力用紙１１０４上に上記各版が印刷されて出力結果１１０９が得られる。出力結果１１０９は、通常色１１１１と１１１０からなる。
【００２２】
図１４は上記手順をふまずオーバープリントが指定されていてかつ特色のオブジェクトが含まれている場合の出力結果の一例を示している。ユーザが作成したデータ１４０１では、特色領域１４０３と通常色１４０２とそれらが重なった１４０４で構成されている。これを通常の手順で印刷するとシアン版１４０６、マゼンタ版１４０７、イエロー版１４０８、ブラック版１４０９で表わされ、これらを画像形成して印刷すると、出力結果１４１０が得られる。出力結果１４１０は特色領域１４１２と通常色１４１１との重なりの部分１４１３が特色領域１４１２と同色となっていて、本来求められている１４０４のような色で再現することが出来ない。
【００２３】
［実施形態２］
本発明の実施形態２に係る画像処理装置について説明する。図３は、本実施形態のシステム構成図であり、実施形態１のシステムに印刷ジョブをＩＤ管理する機能を追加したものである。
【００２４】
システム３００は、メモリ３０１、受信部３０６、ＰＤＬコマンド解析部３０７、ＰＤＬコマンド分離部３０８、特色ＣＭＹＫ変換部３０９、ユーザインターフェース３１０、給紙部３１１、画像形成部３１２、印刷部３１３を備える。システム３００はさらに、ＩＤ発行部３１４、ＩＤ−ＰＤＬコマンド管理部３１５、ページ生成部３１６を備える。メモリ３０１は、受信したＰＤＬコマンドを格納する受信ＰＤＬコマンド領域３０２、分離されたＰＤＬコマンドを格納するＰＤＬコマンド領域３０３、分離された特色からなるＰＤＬコマンドを格納する特色ＰＤＬコマンド領域３０４を備える。メモリ３０１はさらに、前記受信したＰＤＬコマンドに特色が含まれていたか否かを示すための特色ありフラグ領域３０５を備える。受信部３０６は、ネットワーク経由でＰＤＬコマンドを受信する。ＰＤＬコマンド解析部３０７は、前記受信したＰＤＬコマンドを解析する。ＰＤＬコマンド分離部３０８は、前記受信したＰＤＬコマンドを特色とそれ以外で分離する。特色ＣＭＹＫ変換部３０９は、特色をＣＭＹＫの内の１色以上に分解する。ユーザインターフェース３１０は、ユーザからの指示を受ける。給紙部３１１は、印刷用紙を受け取る。画像形成部３１２は、前記ＰＤＬコマンド或いは特殊ＰＤＬコマンドから印刷用データを形成する。印刷部３１３は、前記画像形成部で形成した画像を印刷する。ＩＤ発行部３１４は、ＩＤを発行する。ＩＤ−ＰＤＬコマンド管理部３１５は、発行したＩＤと前記ＰＤＬコマンド領域３０３、或いは、前記特色ＰＤＬコマンド領域３０４とを関連付けて管理する。ページ生成部３１６は、ＩＤ発行部３１４から発行された前記ＩＤからページを生成する。
【００２５】
図４は、受信部３０６がＰＤＬコマンドを受信してから印刷部３１３で印刷するまでの流れを示すフローチャートである。なお、図１１〜図１５はこの処理の流れにおける画像の変化について、図１７はＰＤＬコマンド１８０１の描画図について説明するものである。図１８〜２０、２２はこの処理の流れにおけるＰＤＬコマンドの変化について、図２５は特色をＣ，Ｍ，Ｙ，Ｋの色に変換するための参照リストについて説明するものである。図２６は発行されたＩＤとＰＤＬの関連付けを行い管理するジョブ管理リストについて、図２９は印刷の関連付けを行うためのＩＤの入力と２度目の印刷を促すためのユーザインターフェースについて説明するものである。
【００２６】
図４のステップＳ４０１において、受信部３０６でＰＤＬコマンドを受信し、メモリ３０１の受信ＰＤＬコマンド領域３０２に格納してステップＳ４０２へ進む。この時、受信ＰＤＬコマンド領域３０２には、ＰＤＬコマンド１８０１（図１８）、１９０１（図１９）、２００１（図２０）、２２０１（図２２）のいずれかが格納されている。ステップＳ４０２において、メモリ３０１の特色ありフラグ３０５をクリアし、ステップＳ４０３へ進む。ステップＳ４０３において、メモリ３０１にＰＤＬコマンド領域３０３を獲得し、ステップＳ４０４へ進む。
【００２７】
ステップＳ４０４において、ＰＤＬコマンド解析部３０７で受信ＰＤＬコマンド領域に格納された前記受信ＰＤＬコマンドを解析し、オーバープリントが指定されているか確認し、オーバープリントが指定されている場合はステップＳ４０５へ進む。つまり、受信ＰＤＬコマンド領域３０２に格納されている、ＰＤＬコマンド１８０１、１９０１、２００１、２２０１の内の“Overprint”が“ON”になっている場合はＳ４０５へ進む。ステップＳ４０５において、ＰＤＬコマンド解析部３０７で受信ＰＤＬコマンド領域に格納された前記受信ＰＤＬコマンドを解析し、ページの構成を示すコマンドを前記獲得したＰＤＬコマンド領域３０３にコピーし、ステップＳ４０６へ進む。この時ＰＤＬコマンド領域３０３には、ＰＤＬコマンド１９０２、２２０５のいずれかが格納されている。ステップＳ４０６において、ＰＤＬコマンド解析部３０７で受信ＰＤＬコマンド領域に格納された前記受信ＰＤＬコマンドを解析し終えたかを確認し、解析し終えていない場合はステップＳ４０７へ進む。
【００２８】
ステップＳ４０７において、現在解析中のオブジェクトは特色が指定されているか否かを判定し、特色が指定されている場合は、ステップＳ４０８へ進む。ステップＳ４０８において、メモリ３０１に特色ＰＤＬコマンド領域が既に獲得されているか確認し、されていない場合はステップＳ４０９へ進む。ステップＳ４０９において、メモリ３０１に特色ＰＤＬコマンド領域３０４を獲得し、ステップＳ４１０へ進む。ステップＳ４１０において、ＰＤＬコマンド解析部３０７で受信ＰＤＬコマンド領域に格納された前記受信ＰＤＬコマンド２２０２を解析し、ページの構成を示すコマンドを前記獲得した特色ＰＤＬコマンド領域３０４にコピーし、ステップＳ４１１へ進む。この時特色ＰＤＬコマンド領域３０４には、ＰＤＬコマンド２２０２が格納されている。
【００２９】
ステップＳ４１１において、メモリ３０１の特色ありフラグ３０５を立て、ステップＳ４１２へ進む。ステップＳ４１２において、前記ＰＤＬコマンドに対応するＩＤをＩＤ発行部３１４で発行し、ステップＳ４１３へ進む。ＩＤはジョブカウンタによるカウント値と特色数で表わされ空きのある番号の小さい順で使用する。ステップＳ４１３において、ＩＤ−ＰＤＬコマンド管理部３１５で前記発行されたＩＤとＰＤＬコマンド領域３０３とを関連付けし管理し、ステップＳ４１４へ進む。ＩＤ−ＰＤＬコマンド管理部３１５ではジョブとＩＤの管理リスト２６００を作成してＩＤとそれに関連するＰＤＬコマンドの格納されているメモリを関連付けている。
【００３０】
ステップＳ４１４において、ページ生成部３１６は前記発行されたＩＤからページを生成しＰＤＬコマンド化して、ステップＳ４１５へ進む。ステップＳ４１５において、特色ＰＤＬコマンド領域３０４に格納のＰＤＬコマンドの先頭に前記発行されたＩＤを含むページのＰＤＬコマンドを追加して上書き保存し、ステップＳ４１６へ進む。この時特色ＰＤＬコマンド領域３０４には、ＰＤＬコマンド２２０３が格納されている。ステップＳ４１６において、ＰＤＬコマンド分離部３０８で現在解析中のオブジェクト部分のコマンドを特色ＰＤＬコマンド領域３０４にコピーし、ステップＳ４０６へ戻り処理を繰り返す。この時ＰＤＬコマンド領域３０４には、ＰＤＬコマンド２２０４が格納されている。
【００３１】
ステップＳ４０８において、メモリ３０１に既に特色ＰＤＬコマンド領域３０４が獲得されている場合は、ステップＳ４１６に進む。また、ステップＳ４０７において、現在解析中のオブジェクトに特色が指定されていない場合は、ステップＳ４１７へ進む。ステップＳ４１７において、ＰＤＬコマンド分離部３０８で現在解析中のオブジェクト部分のコマンドをＰＤＬコマンド領域３０３にコピーし、ステップＳ４０６へ戻り処理を繰り返す。この時ＰＤＬコマンド領域３０３には、ＰＤＬコマンド２２０６が格納されている。
【００３２】
ステップＳ４０６において、前記受信ＰＤＬコマンドを解析し終えた場合はステップＳ４１８へ進む。ステップＳ４１８において、メモリ３０１の特色ありフラグを確認し、特色ありフラグが立っている場合は、ステップＳ４１９へ進む。この時、メモリ３０１のＰＤＬコマンド領域３０３にはＰＤＬコマンド２２０６で表わされるデータ１５０６が、特色ＰＤＬコマンド領域３０４にはＰＤＬコマンド２２０４で表わされる１５０５がそれぞれ格納されている。
【００３３】
ステップＳ４１９において、メモリ３０１のＰＤＬコマンド領域３０３のＰＤＬコマンドの用紙指定を給紙段指定に再設定し、ステップＳ４２０へ進む。この時ＰＤＬコマンド領域３０３には、ＰＤＬコマンド２２０６の給紙段指定“PaperFeed”を“1”から“2”に変更したＰＤＬコマンド２２０７が格納される。ステップＳ４２０において、特色ＰＤＬコマンド領域３０４の特色を特色ＣＭＹＫ変換部３０９において特色リスト２５００に基づいてＣＭＹＫの組み合わせに変換する。さらに、ＰＤＬコマンドに基づいて画像形成部３１２において印刷画像を形成し、印刷部３１３で印刷して、ステップＳ４２１へ進む。ＰＤＬコマンド２２０４に従って印刷されるため、１ページ目にはＩＤが書かれたページが印刷され、２ページ目に特色のページが印刷される。この時、データ１５０５はシアン版１５０８、マゼンタ版１５０９、イエロー版１５１０、ブラック版１５１１に変換され、出力結果１５１２を得る。
【００３４】
ステップＳ４２１において、ユーザインターフェース３１０に特色印刷スタートボタン２９０１とＩＤ入力ウィンドウ２９０２（図２９）を表示する。さらに、給紙段に出力結果１５１２がセットされ、ＩＤ入力ウィンドウ２９０２に正しいＩＤが入力され、特色印刷スタートボタンが押下されたかを確認し、されていない場合はこれを繰り返す。一方、ステップＳ４２１において、正しいＩＤが指定され、給紙段に出力結果１５１２がセットされ、特色印刷スタートボタン２９０１が押下された場合は、ステップＳ４２２へ進む。
【００３５】
ステップＳ４２２において、ＩＤ−ＰＤＬコマンド管理部３１５で、ＩＤとジョブの管理リストを用いて入力されたＩＤから関連のＰＤＬコマンド領域を検索する。さらに、関連付けされたメモリ３０１のＰＤＬコマンド領域３０３のＰＤＬコマンド２２０６に基づいて画像形成部３１２で印刷画像を形成し、印刷部３１３で印刷して、終了する。この時、ＰＤＬコマンド２２０６で表わされるデータ１５０６はシアン版１５１４、マゼンタ版１５１５、イエロー版１５１６、ブラック版１５１７で表わされており、給紙部３１１にある出力結果１５１２の上に印刷した出力結果１５１８を得る。出力結果１５１８は、特色領域１５２０と通常色領域１５１９とその両方が重なった領域１５２１からなる。
【００３６】
ステップＳ４１８において、特色ありフラグが立っていない場合は、ステップＳ４２５へ進む。ステップＳ４２５において、メモリ３０１のＰＤＬコマンド領域３０３のＰＤＬコマンドに基づいて画像形成部３１２において印刷画像を形成し、印刷部３１３で印刷して、終了する。この時、オーバープリントが指定されているが特色が含まれない処理となり、ＰＤＬコマンド領域３０３にはＰＤＬコマンド１９０４が格納されており、図１２の通常色同士のオーバープリントとなる。この時、ＰＤＬコマンド領域１０３にはＰＤＬコマンド１９０４で表わされるデータ１２０１が格納されている。画像形成部においてシアン版１２０６、マゼンタ版１２０７、イエロー版１２０８、ブラック版１２０９の画像が形成され、印刷部３１３において入力用紙１２０５上に上記各版が印刷されて出力結果１２１０が得られる。出力結果１２１０は、通常色１２１２と１２１１、それらの重なった領域１２１３からなる。
【００３７】
ステップＳ４０４において、オーバープリントが指定されていないと判定された場合は、ステップＳ４２３へ進む。ステップＳ４２３において、メモリ３０１のＰＤＬコマンド領域３０３に全てのオブジェクト部分のコマンドをコピーし、ステップＳ４２４へ進む。この時ＰＤＬコマンド領域３０３には、１８０２或いは２００２が格納されている。ステップＳ４２４で、ＰＤＬコマンド領域３０３にＰＤＬコマンド２００２（ＰＤＬコマンドに特色指定あり）が格納されている場合は、特色ＣＭＹＫ変換部３０９で特色リスト２５００に基いて特色をシアン版、マゼンタ版、イエロー版、ブラック版に分離する。そして、通常色のオブジェクトと合成して上書きし、ステップＳ４２５へ進む。この時、ＰＤＬコマンド領域３０３にはＰＤＬコマンド２００２で表わされるデータ１３０１が格納されている。画像形成部においてシアン版１３０５、マゼンタ版１３０６、イエロー版１３０７、ブラック版１３０８の画像が形成され、印刷部３１３において入力用紙１３０４上に上記各版が印刷されて出力結果１３０９が得られる。出力結果１３０９は、特色領域１３１１と通常色領域１３１０からなる。或いは、特色が含まれていない場合であるＰＤＬコマンド１８０２の場合は、ステップＳ４２４においては何もしない。この時、ＰＤＬコマンド領域３０３にＰＤＬコマンド１８０２で表わされるデータ１１０１が格納されている。画像形成部においてシアン版１１０５、マゼンタ版１１０６、イエロー版１１０７、ブラック版１１０８の画像が形成され、印刷部３１３において入力用紙１１０４上に上記各版が印刷されて出力結果１１０９が得られる。出力結果１１０９は、通常色１１１１と１１１０からなる。
【００３８】
［実施形態３］
本発明の実施形態３に係る画像処理装置について説明する。図５は、本実施形態のシステム構成図であり、実施形態２のシステムのジョブのＩＤ管理をユーザインターフェースからの入力ではなく、読み取り装置によるパターン読み取りで実施したものである。
【００３９】
システム５００は、メモリ５０１、受信部５０６、ＰＤＬコマンド解析部５０７、ＰＤＬコマンド分離部５０８、特色ＣＭＹＫ変換部５０９と、ユーザインターフェース５１０、給紙部５１１、画像形成部５１２、印刷部５１３を備える。システム５００はさらに、ＩＤ発行部５１４、ＩＤ−ＰＤＬコマンド管理部５１５、ページ生成部５１６、ＩＤパターン化部５１７、画像読み取り部５１８、パターン解析部５２０を備える。メモリ５０１は、受信したＰＤＬコマンドを格納する受信ＰＤＬコマンド領域５０２、分離されたＰＤＬコマンドを格納するＰＤＬコマンド領域５０３、分離された特色からなるＰＤＬコマンドを格納する特色ＰＤＬコマンド領域５０４を備える。メモリ５０１はさらに、前記受信したＰＤＬコマンドに特色が含まれていたか否かを示すための特色ありフラグ領域５０５と、読み取り画像領域５１９を備える。受信部５０６は、ネットワーク経由でＰＤＬコマンドを受信する。ＰＤＬコマンド解析部５０７は、前記受信したＰＤＬコマンドを解析する。ＰＤＬコマンド分離部５０８は、前記受信したＰＤＬコマンドを特色とそれ以外で分離する。特色ＣＭＹＫ変換部５０９、特色をＣＭＹＫの内の１色以上に分解する。ユーザインターフェース５１０は、ユーザからの指示を受ける。給紙部５１１は、印刷用紙を受け取る。画像形成部５１２は、前記ＰＤＬコマンド或いは特殊ＰＤＬコマンドから印刷用データを形成する。印刷部５１３は、前記画像形成部で形成した画像を印刷する。ＩＤ発行部５１４は、ＩＤを発行する。ＩＤ−ＰＤＬコマンド管理部５１５は、発行したＩＤと前記ＰＤＬコマンド領域５０３、或いは、前記特色ＰＤＬコマンド領域５０４とを関連付けて管理する。ＩＤパターン化部５１７は、ＩＤ発行部５１４から発行された前記ＩＤをパターン化する。ページ生成部５１６は、前記パターン化したＩＤからページを生成する。画像読み取り部５１８は、画像を読み取る。パターン解析部５２０は、前記画像読み取り部から読み取られた画像を解析してパターンが存在する場合はそのパターンを解析する。
【００４０】
図６は、受信部５０６がＰＤＬコマンドを受信してから印刷部５１３で印刷するまでの流れを示すフローチャートである。なお、図１１〜図１５はこの処理の流れにおける画像の変化について、図１７はＰＤＬコマンド１８０１の描画図について説明するものである。図１８〜２０，２３はこの処理の流れにおけるＰＤＬコマンドの変化について、図２５は特色をＣ，Ｍ，Ｙ，Ｋの色に変換するための参照リストについて説明するものである。図２６は発行されたＩＤとＰＤＬの関連付けを行い管理するジョブ管理リストについて、図２８は２度目の印刷を促すためのユーザインターフェースについて説明するものである。
【００４１】
図６のステップＳ６０１において、受信部５０６でＰＤＬコマンドを受信し、メモリ５０１の受信ＰＤＬコマンド領域５０２に格納してステップＳ６０２へ進む。この時、受信ＰＤＬコマンド領域５０２には、ＰＤＬコマンド１８０１（図１８）、１９０１（図１９）、２００１（図２０）、２３０１（図２３）のいずれかが格納されている。ステップＳ６０２において、メモリ５０１の特色ありフラグ５０５をクリアし、ステップＳ６０３へ進む。ステップＳ６０３において、メモリ５０１にＰＤＬコマンド領域５０３を獲得し、ステップＳ６０４へ進む。
【００４２】
ステップＳ６０４において、ＰＤＬコマンド解析部５０７で受信ＰＤＬコマンド領域に格納された前記受信ＰＤＬコマンドを解析し、オーバープリントが指定されているか確認し、オーバープリントが指定されている場合はステップＳ６０５へ進む。つまり、受信ＰＤＬコマンド領域５０２に格納されている、ＰＤＬコマンド１８０１、１９０１、２００１、２３０１の内の“Overprint”が“ON”になっている場合はＳ６０５へ進む。ステップＳ６０５において、ＰＤＬコマンド解析部５０７で受信ＰＤＬコマンド領域に格納された前記受信ＰＤＬコマンドを解析し、ページの構成を示すコマンドを前記獲得したＰＤＬコマンド領域５０３にコピーし、ステップＳ６０６へ進む。この時ＰＤＬコマンド領域５０３には、ＰＤＬコマンド１９０２、２３０５のいずれかが格納されている。ステップＳ６０６において、ＰＤＬコマンド解析部５０７で受信ＰＤＬコマンド領域に格納された前記受信ＰＤＬコマンドを解析し終えたかを確認し、解析し終えていない場合はステップＳ６０７へ進む。
【００４３】
ステップＳ６０７において、現在解析中のオブジェクトは特色が指定されているか否かを判定し、特色が指定されている場合は、ステップＳ６０８へ進む。ステップＳ６０８において、メモリ５０１に特色ＰＤＬコマンド領域が既に獲得されているか確認し、されていない場合はステップＳ６０９へ進む。ステップＳ６０９において、メモリ５０１に特色ＰＤＬコマンド領域５０４を獲得し、ステップＳ６１０へ進む。ステップＳ６１０において、ＰＤＬコマンド解析部５０７で受信ＰＤＬコマンド領域に格納された前記受信ＰＤＬコマンドを解析し、ページの構成を示すコマンドを前記獲得した特色ＰＤＬコマンド領域５０４にコピーし、ステップＳ６１１へ進む。この時特色ＰＤＬコマンド領域５０４には、ＰＤＬコマンド２３０２が格納されている。
【００４４】
ステップＳ６１１において、メモリ５０１の特色ありフラグ５０５を立て、ステップＳ６１２へ進む。ステップＳ６１２において、前記ＰＤＬコマンドに対応するＩＤをＩＤ発行部５１４で発行し、ステップＳ６１３へ進む。ＩＤはジョブカウンタによるカウント値と特色数で表わされ空きのある番号の小さい順で使用する。ステップＳ６１３において、ＩＤ−ＰＤＬコマンド管理部５１５で前記発行されたＩＤとＰＤＬコマンド領域５０３とを関連付けし管理し、ステップＳ６１４へ進む。ＩＤ−ＰＤＬコマンド管理部５１５ではジョブとＩＤの管理リスト２６００を作成してＩＤとそれに関連するＰＤＬコマンドの格納されているメモリを関連付けている。
【００４５】
ステップＳ６１４において、ＩＤ発行部５１４より発行された前記ＩＤをＩＤパターン化部５１７でパターン化し、ステップＳ６１５へ進む。ＩＤパターンは1bitイメージで構成される。ステップＳ６１５において、ページ生成部５１６は前記生成されたＩＤパターンからページを生成しＰＤＬコマンド化して、ステップＳ６１６へ進む。ステップＳ６１６において、特色ＰＤＬコマンド領域５０４に格納のＰＤＬコマンドの先頭に前記発行されたＩＤを含むページのＰＤＬコマンドを追加して上書き保存し、ステップＳ６１７へ進む。この時特色ＰＤＬコマンド領域５０４には、ＰＤＬコマンド２３０３が格納されている。ステップＳ６１７において、ＰＤＬコマンド分離部５０８で現在解析中のオブジェクト部分のコマンドを特色ＰＤＬコマンド領域５０４にコピーし、ステップＳ６０６へ戻り処理を繰り返す。この時ＰＤＬコマンド領域５０４にはＰＤＬコマンド２３０４が格納されている。
【００４６】
ステップＳ６０８において、メモリ５０１に既に特色ＰＤＬコマンド領域５０４が獲得されている場合は、ステップＳ６１７に進む。また、ステップＳ６０７において、現在解析中のオブジェクトに特色が指定されていない場合は、ステップＳ６１８へ進む。ステップＳ６１８において、ＰＤＬコマンド分離部５０８で現在解析中のオブジェクト部分のコマンドをＰＤＬコマンド領域５０３にコピーし、ステップＳ６０６へ戻り処理を繰り返す。この時ＰＤＬコマンド領域５０３にはＰＤＬコマンド２３０６が格納されている。
【００４７】
ステップＳ６０６において、前記受信ＰＤＬコマンドを解析し終えた場合はステップＳ６１９へ進む。ステップＳ６１９において、メモリ５０１の特色ありフラグを確認し、特色ありフラグが立っている場合は、ステップＳ６２０へ進む。この時、メモリ５０１のＰＤＬコマンド領域５０３にはＰＤＬコマンド２３０６で表わされるデータ１５０６が、特色ＰＤＬコマンド領域５０４にはＰＤＬコマンド２３０４で表わされる１５０５がそれぞれ格納されている。
【００４８】
ステップＳ６２０において、メモリ５０１のＰＤＬコマンド領域５０３のＰＤＬコマンドの用紙指定を給紙段指定に再設定し、ステップＳ６２１へ進む。ＰＤＬコマンド領域５０３には、ＰＤＬコマンド２３０６の給紙段指定“PaperFeed”を“1”から“2”に変更したＰＤＬコマンド２３０７が格納される。ステップＳ６２１において、特色ＰＤＬコマンド領域５０４の特色を特色ＣＭＹＫ変換部５０９において特色リスト２５００に基づいてＣＭＹＫの組み合わせに変換する。さらに、ＰＤＬコマンドに基づいて画像形成部５１２において印刷画像を形成し、印刷部５１３で印刷して、ステップＳ６２２へ進む。１ページ目にはＩＤパターンが描かれたページが印刷され、２ページ目に特色のページが印刷される。この時、ＰＤＬコマンド２３０４で表わされるデータ１５０５はシアン版１５０８、マゼンタ版１５０９、イエロー版１５１０、ブラック版１５１１に変換され、出力結果１５１２を得る。
【００４９】
ステップＳ６２２において、ユーザインターフェース５１０に特色印刷スタートボタン２８０１（図２８）を表示する。さらに、給紙段に出力結果１５１２がセットされ、画像読み取り部５１８にＩＤパターンの印刷された用紙が正しくセットされ、特色印刷スタートボタン２８０１が押下されたかを確認し、されていない場合はこれを繰り返す。一方、ステップＳ６２２において、正しいＩＤが指定され、給紙段に出力結果１５１２がセットされ、特色印刷スタートボタン２８０１が押下された場合は、ステップＳ６２３へ進む。ステップＳ６２３において、読み取り装置５１８にセットされた用紙を読み取りメモリ５０１の読み取り画像領域５１９に格納し、ステップＳ６２４へ進む。ステップＳ６２４において、パターン解析部５２０で読み取り画像領域５１９に格納されている画像のパターンを解析し、ステップＳ６２５へ進む。
【００５０】
ステップＳ６２５において、前記パターン解析の結果ＩＤパターンが存在したかどうかを判定し、存在しなかった場合はステップＳ６２６へ進む。ステップＳ６２６において、ユーザインターフェース５１０にＩＤパターンが印刷された用紙を画像読み取り部５１８に置くよう警告を表示し、ステップＳ６２２へ戻り処理を繰り返す。一方、ステップＳ６２５において、ＩＤパターンが存在した場合はステップＳ６３０へ進む。ステップＳ６３０において、ＩＤ−ＰＤＬコマンド管理部において入力されたＩＤからジョブとＩＤの管理リスト２６００を用いて関連のＰＤＬコマンド領域を検索する。さらに、関連付けされたメモリ５０１のＰＤＬコマンド領域５０３のＰＤＬコマンド２３０７に基づいて画像形成部５１２で印刷画像を形成し、印刷部５１３で印刷して、終了する。この時、ＰＤＬコマンド２３０７で表わされるデータ１５０６はシアン版１５１４、マゼンタ版１５１５、イエロー版１５１６、ブラック版１５１７で表わされており、給紙部５１１にある出力結果１５１２の上に印刷した出力結果１５１８を得る。出力結果１５１８は、特色領域１５２０と通常色領域１５１９とその両方が重なった領域１５２１からなる。
【００５１】
ステップＳ６１９において、特色ありフラグが立っていない場合は、ステップＳ６２９へ進む。ステップＳ６２９において、メモリ５０１のＰＤＬコマンド領域５０３のＰＤＬコマンドに基づいて画像形成部５１２において印刷画像を形成し、印刷部５１３で印刷して、終了する。この時、オーバープリントが指定されているが特色が含まれない処理となり、図１２の通常色同士のオーバープリントとなる。この時、ＰＤＬコマンド領域５０３にＰＤＬコマンド１９０４で表わされるデータ１２０１が格納されている。画像形成部においてシアン版１２０６、マゼンタ版１２０７、イエロー版１２０８、ブラック版１２０９の画像が形成され、印刷部１１３において入力用紙１２０５上に上記各版が印刷されて出力結果１２１０が得られる。出力結果１２１０は、通常色１２１２と１２１１、それらの重なった領域１２１３からなる。
【００５２】
ステップＳ６０４において、オーバープリントが指定されていないと判定された場合は、ステップＳ６２７へ進む。ステップＳ６２７において、メモリ５０１のＰＤＬコマンド領域に全てのオブジェクト部分のコマンドをコピーし、ステップＳ６２８へ進む。ステップＳ６２８において、ＰＤＬコマンド領域５０３に格納の前記ＰＤＬコマンドに特色指定がある場合は、特色ＣＭＹＫ変換部５０９において特色をシアン版、マゼンタ版、イエロー版、ブラック版に分離する。そして、通常色のオブジェクトと合成して上書きし、ステップＳ６２９へ進む。この時、ＰＤＬコマンド領域５０３にはＰＤＬコマンド２００２で表わされるデータ１３０１が格納されている。画像形成部においてシアン版１３０５、マゼンタ版１３０６、イエロー版１３０７、ブラック版１３０８の画像が形成され、印刷部５１３において入力用紙１３０４上に上記各版が印刷されて出力結果１３０９が得られる。出力結果１３０９は、特色領域１３１１と通常色領域１３１０からなる。或いは、特色が含まれていない場合は、ステップＳ６２８においては何もしない。この時、ＰＤＬコマンド領域５０３にはＰＤＬコマンド１８０２で表わされるデータ１１０１が格納されている。画像形成部においてシアン版１１０５、マゼンタ版１１０６、イエロー版１１０７、ブラック版１１０８の画像が形成され、印刷部５１３において入力用紙１１０４上に上記各版が印刷されて出力結果１１０９が得られる。出力結果１１０９は、通常色１１１１と１１１０からなる。
【００５３】
［実施形態４］
本発明の実施形態４に係る画像処理装置について説明する。図７は、本実施形態のシステム構成図であり、実施形態１のシステムを複数の特色指定に対応させたものである。
【００５４】
システム７００は、メモリ７０１、受信部７０６、ＰＤＬコマンド解析部７０７、ＰＤＬコマンド分離部７０８、特色ＣＭＹＫ変換部７０９、ユーザインターフェース７１０、給紙部７１１、画像形成部７１２、印刷部７１３で構成されている。メモリ７０１は、受信したＰＤＬコマンドを格納する受信ＰＤＬコマンド領域７０２、分離されたＰＤＬコマンドを格納するＰＤＬコマンド領域７０３、分離された特色からなるＰＤＬコマンドを格納する特色ＰＤＬコマンド領域７０４を備える。メモリ７０１はさらに、前記受信したＰＤＬコマンドに含まれる特色の色数をカウントする特色カウンタ７０５を備える。受信部７０６は、ネットワーク経由でＰＤＬコマンドを受信する。ＰＤＬコマンド解析部７０７は、前記受信したＰＤＬコマンドを解析する。ＰＤＬコマンド分離部７０８は、前記受信したＰＤＬコマンドを特色とそれ以外で分離する。特色ＣＭＹＫ変換部７０９は、特色をＣＭＹＫの内の１色以上に分解する。ユーザインターフェース７１０は、ユーザからの指示を受ける。給紙部７１１は、印刷用紙を受け取る。画像形成部７１２は、前記ＰＤＬコマンド或いは特殊ＰＤＬコマンドから印刷用データを形成する。印刷部７１３は、前記画像形成部で形成した画像を印刷する。
【００５５】
図８は、受信部７０６がＰＤＬコマンドを受信してから印刷部７１３で印刷するまでの流れを示すフローチャートである。なお、図１１〜図１４，２７はこの処理の流れにおける画像の変化について、図１７はＰＤＬコマンド１８０１の描画図について説明するものである。また、図１８〜２０、２４はこの処理の流れにおけるＰＤＬコマンドの変化について、図２５は特色をＣＭＹＫの色に変換するための参照リストについて、図２８は２度目の印刷を促すためのユーザインターフェースについて説明するものである。
【００５６】
図８のステップＳ８０１において、受信部７０６でＰＤＬコマンドを受信し、メモリ７０１の受信ＰＤＬコマンド領域７０２に格納してステップＳ８０２へ進む。この時、受信ＰＤＬコマンド領域７０２には、ＰＤＬコマンド１８０１（図１８）、１９０１（図１９）、２００１（図２０）、２４０１（図２４）のいずれかが格納されている。ステップＳ８０４において、メモリ７０１の特色カウンタ７０５をゼロに初期化し、ステップＳ８０５へ進む。ステップＳ８０５において、メモリ７０１にＰＤＬコマンド領域７０３を獲得し、ステップＳ８０６へ進む。
【００５７】
ステップＳ８０６において、ＰＤＬコマンド解析部７０７で受信ＰＤＬコマンド領域に格納された前記受信ＰＤＬコマンドを解析し、オーバープリントが指定されているか確認し、オーバープリントが指定されている場合はステップＳ８０７へ進む。つまり、受信ＰＤＬコマンド領域７０２に格納されている、ＰＤＬコマンド１８０１、１９０１、２００１、２４０１の内の“Overprint”が“ON”になっている場合はＳ８０７へ進む。ステップＳ８０７において、ＰＤＬコマンド解析部７０７で受信ＰＤＬコマンド領域に格納された前記受信ＰＤＬコマンドを解析し、ページの構成を示すコマンドを前記獲得したＰＤＬコマンド領域７０３にコピーし、ステップＳ８０８へ進む。この時ＰＤＬコマンド領域７０３には、ＰＤＬコマンド１９０２、２４０６のいずれかが格納されている。ステップＳ８０８において、ＰＤＬコマンド解析部７０７で受信ＰＤＬコマンド領域に格納された前記受信ＰＤＬコマンドを解析し終えたかを確認し、解析し終えていない場合はステップＳ８０９へ進む。
【００５８】
ステップＳ８０９において、現在解析中のオブジェクトは特色が指定されているか否かを判定し、特色が指定されている場合は、ステップＳ８１０へ進む。ステップＳ８１０において、メモリ７０１に現在解析中の特色と同一の特色ＰＤＬコマンド領域が既に獲得されているか確認し、されていない場合はステップＳ８１１へ進む。ステップＳ８１１において、メモリ７０１に特色ＰＤＬコマンド領域７０４を獲得し、ステップＳ８１２へ進む。ステップＳ８１２において、ＰＤＬコマンド解析部７０７で受信ＰＤＬコマンド領域に格納された前記受信ＰＤＬコマンドを解析し、ページの構成を示すコマンドを前記獲得した特色ＰＤＬコマンド領域７０４にコピーし、ステップＳ８１３へ進む。この時特色ＰＤＬコマンド領域７０４には、ＰＤＬコマンド２４０２が格納されている。２度目には２つ目の特色ＰＤＬコマンド領域が作成されＰＤＬコマンド２４０４が格納されている。
【００５９】
ステップＳ８１３において、メモリ７０１の特色カウンタ７０５を１カウントアップし、ステップＳ８１４へ進む。ステップＳ８１４において、ＰＤＬコマンド分離部７０８で現在解析中のオブジェクト部分のコマンドを特色ＰＤＬコマンド領域７０４にコピーし、ステップＳ８０８へ戻り処理を繰り返す。この時特色ＰＤＬコマンド領域７０４には、ＰＤＬコマンド２４０３、２つ目の特色ＰＤＬコマンド領域７０４には、ＰＤＬコマンド２４０５がそれぞれ格納されている。
【００６０】
ステップＳ８１０において、メモリ７０１に既に特色ＰＤＬコマンド領域７０４が獲得されている場合は、ステップＳ８１５へ進む。ステップＳ８１５において、現在解析中の特色と同一の特色ＰＤＬコマンド領域を検索し、現在の特色ＰＤＬコマンド領域として、ステップＳ８１４へ進み、処理を繰り返す。
【００６１】
ステップＳ８０９において、現在解析中のオブジェクトに特色が指定されていない場合は、ステップＳ８１６へ進む。ステップＳ８１６において、ＰＤＬコマンド分離部７０８で現在解析中のオブジェクト部分のコマンドをＰＤＬコマンド領域７０３にコピーし、ステップＳ８０８へ戻り処理を繰り返す。この時ＰＤＬコマンド領域７０３にはＰＤＬコマンド２４０７が格納されている。
【００６２】
ステップＳ８０８において、前記受信ＰＤＬコマンドを解析し終えた場合はステップＳ８１７へ進む。ステップＳ８１７において、メモリ７０１の特色カウントを確認し、ゼロでない場合は、ステップＳ８１８へ進む。この時、メモリ７０１のＰＤＬコマンド領域７０３にはＰＤＬコマンド２４０７で表わされるデータ１５０６が、特色ＰＤＬコマンド領域７０４にはＰＤＬコマンド２４０３で表わされる２７０７或いは２４０５で表わされる２７０８がそれぞれ格納されている。
【００６３】
ステップＳ８１８において、メモリ７０１のＰＤＬコマンド領域７０３のＰＤＬコマンドの用紙指定を給紙段指定に再設定し、ステップＳ８１９へ進む。この時ＰＤＬコマンド領域７０３のＰＤＬコマンド２４０７の給紙段指定“PaperFeed”は“1”から“2”に変更されＰＤＬコマンド２４０９に格納される。また、特殊ＰＤＬコマンド領域７０４のＰＤＬコマンド２４０５の給紙段指定“PaperFeed”は“1”から“2”に変更されＰＤＬコマンド２４０８に格納される。ステップＳ８１９において、特色ＰＤＬコマンド領域７０４の特色を特色ＣＭＹＫ変換部７０９において特色リスト２５００に基づいてＣＭＹＫの組み合わせに変換する。さらに、ＰＤＬコマンドに基づいて画像形成部７１２において印刷画像を形成し、印刷部７１３で印刷して、ステップＳ８２０へ進む。この時、ＰＤＬコマンド２４０３で表わされるデータ２７０７はシアン版２７１１、マゼンタ版２７１２、イエロー版２７１３、ブラック版２７１４に変換され、出力結果２７１５を得る。
【００６４】
ステップＳ８２０において、特色カウントを１カウントダウンし、ステップＳ８２１へ進む。ステップＳ８２１において、ユーザインターフェース７１０に特色印刷スタートボタン２８０１（図２８）を表示し、給紙段に出力結果２７１６がセットされ特色印刷スタートボタン２８０１が押下されたかを確認し、されていない場合は処理を繰り返す。一方、ステップＳ８２１において、給紙段に出力結果１５１２がセットされ特色印刷スタートボタン２８０１が押下された場合は、ステップＳ８１７へ戻り処理を繰り返す。この時２度目の処理においてＰＤＬコマンド２４０８で表わされるデータ２７０８はシアン版２７１７、マゼンタ版２７１８、イエロー版２７１９、ブラック版２７２０に変換され、出力結果２７２１を得る。
【００６５】
ステップＳ８１７において、メモリ７０１の特色カウンタ７０５を確認し、ゼロの場合は、ステップＳ８２４へ進む。ステップＳ８２４において、メモリ７０１のＰＤＬコマンド領域７０３のＰＤＬコマンド２４０９に基づいて画像形成部７１２において印刷画像を形成し、印刷部７１３で印刷して、終了する。この時、ＰＤＬコマンド２４０９で表わされるデータ２７０９はシアン版２７２５、マゼンタ版２７２６、イエロー版２７２７、ブラック版２７２８で表わされ、給紙部７１１にある出力結果２７２４の上に印刷した出力結果２７２９を得る。出力結果２７２９は、特色領域２７３０、２７３２と通常色領域２７３１とそれぞれが重なった領域２７３３、２７３４からなる。或いは、初めから特色カウンタ７０５がゼロの時は、オーバープリントが指定されているが特色が含まれない処理となり、図１２の通常色同士のオーバープリントとなる。この時、ＰＤＬコマンド領域７０３にＰＤＬコマンド１９０４で表わされるデータ１２０１が格納されている。画像形成部においてシアン版１２０６、マゼンタ版１２０７、イエロー版１２０８、ブラック版１２０９の画像が形成され、印刷部７１３において入力用紙１２０５上に上記各版が印刷されて出力結果１２１０が得られる。出力結果１２１０は、通常色１２１２と１２１１、それらの重なった領域１２１３からなる。
【００６６】
ステップＳ８０６において、オーバープリントが指定されていないと判定された場合は、ステップＳ８２２へ進む。ステップＳ８２２において、メモリ７０１のＰＤＬコマンド領域に全てのオブジェクト部分のコマンドをコピーし、ステップＳ８２３へ進む。ステップＳ８２３において、ＰＤＬコマンド領域７０３に格納の前記ＰＤＬコマンドに特色指定がある場合は、特色ＣＭＹＫ変換部７０９において特色をシアン版、マゼンタ版、イエロー版、ブラック版に分離して通常色のオブジェクトと合成して上書きする。その後ステップＳ８２４へ進む。この時、ＰＤＬコマンド領域７０３にはＰＤＬコマンド２００２で表わされるデータ１３０１が格納されており、画像形成部においてシアン版１３０５、マゼンタ版１３０６、イエロー版１３０７、ブラック版１３０８の画像が形成される。さらに、印刷部７１３において入力用紙１３０４上に上記各版が印刷されて出力結果１３０９が得られる。出力結果１３０９は、特色領域１３１１と通常色領域１３１０からなる。或いは、特色が含まれていない場合は、ステップＳ８２３においては何もしない。この時、ＰＤＬコマンド領域７０３にはＰＤＬコマンド１８０２で表わされるデータ１１０１が格納されており、画像形成部においてシアン版１１０５、マゼンタ版１１０６、イエロー版１１０７、ブラック版１１０８の画像が形成される。さらに、印刷部１１３において入力用紙１１０４上に上記各版が印刷されて出力結果１１０９が得られる。出力結果１１０９は、通常色１１１１と１１１０からなる。
【００６７】
［実施形態５］
本発明の実施形態５に係る画像処理装置について説明する。図９は、本実施形態のシステム構成図であり、２台のプリンタを連続通紙、連続印刷可能となるよう接続したものである。本システムはシステム９００とシステム９１５の２つのシステムから構成されている。
【００６８】
一方のシステム９００は、メモリ９０１、受信部９０６、ＰＤＬコマンド解析部９０７、ＰＤＬコマンド分離部９０８、特色ＣＭＹＫ変換部９０９、ユーザインターフェース９１０、給紙部９１１、画像形成部９１２、印刷部９１３及び送信部９１４で構成されている。メモリ９０１は、受信したＰＤＬコマンドを格納する受信ＰＤＬコマンド領域９０２、分離されたＰＤＬコマンドを格納するＰＤＬコマンド領域９０３、分離された特色からなるＰＤＬコマンドを格納する特色ＰＤＬコマンド領域９０４を備える。メモリ９０１はさらに、前記受信したＰＤＬコマンドに特色が含まれていたか否かを示すための特色ありフラグ領域９０５を備える。受信部９０６はネットワーク経由でＰＤＬコマンドを受信する。ＰＤＬコマンド解析部９０７は前記受信したＰＤＬコマンドを解析する。ＰＤＬコマンド分離部９０８は前記受信したＰＤＬコマンドを特色とそれ以外で分離する。特色ＣＭＹＫ変換部９０９は特色をＣＭＹＫの内の１色以上に分解する。ユーザインターフェース９１０はユーザからの指示を受ける。給紙部９１１は印刷用紙を受け取る。画像形成部９１２は前記ＰＤＬコマンド或いは特殊ＰＤＬコマンドから印刷用データを形成する。印刷部９１３は前記画像形成部で形成した画像を印刷する。送信部９１４はＰＤＬコマンドを送信する。
【００６９】
他方のシステム９１５は、メモリ９１６、受信部９１８、ＰＤＬコマンド解析部９１９、給紙部９２０、特色ＣＭＹＫ変換部９２１、画像形成部９２２及び印刷部９２３で構成されている。メモリ９１６は受信したＰＤＬコマンドを格納する受信ＰＤＬコマンド領域９１７を有する。受信部９１８はネットワーク経由でＰＤＬコマンドを受信する。ＰＤＬコマンド解析部９１９は前記受信したＰＤＬコマンドを解析する。給紙部９２０は印刷用紙を受け取る。特色ＣＭＹＫ変換部９２１は特色をＣＭＹＫの内の１色以上に分解する。画像形成部９２２は前記ＰＤＬコマンドから印刷用データを形成する。印刷部９２３は前記画像形成部で形成した画像を印刷する。
【００７０】
図１０は、システム９００が受信部９０６でＰＤＬコマンドを受信してから印刷部９１３で印刷し、システム９１５にＰＤＬコマンドを送信するまでの流れを示すフローチャートである。なお、図１１〜図１５はこの処理の流れにおける画像の変化について説明するものである。図１７はＰＤＬコマンド１８０１の描画図について説明するものである。また、図１８〜２４はこの処理の流れにおけるＰＤＬコマンドの変化について、図２５は特色をＣＭＹＫの色に変換するための参照リストについて説明するものである。システム９１５における処理についてはシステム９００の処理を縮小したものであり、ここでの説明は省略する。
【００７１】
図１０のステップＳ１００１において、受信部９０６でＰＤＬコマンドを受信し、メモリ９０１の受信ＰＤＬコマンド領域９０２に格納してステップＳ１００２へ進む。この時、受信ＰＤＬコマンド領域９０２には、ＰＤＬコマンド１８０１（図１８）、１９０１（図１９）、２００１（図２０）、２１０１（図２１）のいずれかが格納されている。ステップＳ１００２において、システムの接続台数は２台以上であるか否かを判定し、２台以上であると判定された場合はステップＳ１００３へ進む。ステップＳ１００３において、メモリ９０１の特色ありフラグ９０５をクリアし、ステップＳ１００４へ進む。ステップＳ１００４において、メモリ９０１にＰＤＬコマンド領域９０３を獲得し、ステップＳ１００５へ進む。
【００７２】
ステップＳ１００５において、ＰＤＬコマンド解析部９０７で受信ＰＤＬコマンド領域に格納された前記受信ＰＤＬコマンドを解析し、オーバープリントが指定されているか確認し、オーバープリントが指定されている場合はステップＳ１００６へ進む。つまり、受信ＰＤＬコマンド領域９０２に格納されている、ＰＤＬコマンド１８０１、１９０１、２００１、２１０１の内の“Overprint”が“ON”になっている場合はＳ１００６へ進む。ステップＳ１００６において、ＰＤＬコマンド解析部９０７で受信ＰＤＬコマンド領域に格納された前記受信ＰＤＬコマンドを解析し、ページの構成を示すコマンドを前記獲得したＰＤＬコマンド領域９０３にコピーし、ステップＳ１００７へ進む。この時ＰＤＬコマンド領域９０３には、ＰＤＬコマンド１９０２、２１０５のいずれかが格納されている。ステップＳ１００７において、ＰＤＬコマンド解析部９０７で受信ＰＤＬコマンド領域に格納された前記受信ＰＤＬコマンドを解析し終えたかを確認し、解析し終えていない場合はステップＳ１００８へ進む。
【００７３】
ステップＳ１００８において、現在解析中のオブジェクトは特色が指定されているか否かを判定し、特色が指定されている場合は、ステップＳ１００９へ進む。ステップＳ１００９において、メモリ９０１に特色ＰＤＬコマンド領域が既に獲得されているか確認し、されていない場合はステップＳ１０１０へ進む。ステップＳ１０１０において、メモリ９０１に特色ＰＤＬコマンド領域９０４を獲得し、ステップＳ１０１１へ進む。ステップＳ１０１１において、ＰＤＬコマンド解析部９０７で受信ＰＤＬコマンド領域に格納された前記受信ＰＤＬコマンドを解析し、ページの構成を示すコマンドを前記獲得した特色ＰＤＬコマンド領域９０４にコピーし、ステップＳ１０１２へ進む。この時特色ＰＤＬコマンド領域９０４には、ＰＤＬコマンド２１０２が格納されている。
【００７４】
ステップＳ１０１２において、メモリ９０１の特色ありフラグ９０５を立て、ステップＳ１０１３へ進む。ステップＳ１０１３において、ＰＤＬコマンド分離部９０８で現在解析中のオブジェクト部分のコマンドを特色ＰＤＬコマンド領域９０４にコピーし、ステップＳ１００７へ戻り処理を繰り返す。この時特色ＰＤＬコマンド領域９０４には、ＰＤＬコマンド２１０３が格納されている。
【００７５】
ステップＳ１００９において、メモリ９０１に既に特色ＰＤＬコマンド領域９０４が獲得されている場合は、ステップＳ１０１３に進む。また、ステップＳ１００８において、現在解析中のオブジェクトに特色が指定されていない場合は、ステップＳ１０１４へ進む。ステップＳ１０１４において、ＰＤＬコマンド分離部９０８で現在解析中のオブジェクト部分のコマンドをＰＤＬコマンド領域９０３にコピーし、ステップＳ１００７へ戻り処理を繰り返す。この時ＰＤＬコマンド領域９０４にはＰＤＬコマンド２１０６が格納されている。
【００７６】
ステップＳ１００７において、前記受信ＰＤＬコマンドを解析し終えた場合はステップＳ１０１５へ進む。ステップＳ１０１５において、メモリ９０１の特色ありフラグを確認し、特色ありフラグが立っている場合は、ステップＳ１０１６へ進む。この時、メモリ９０１のＰＤＬコマンド領域９０３にはＰＤＬコマンド２１０６で表わされるデータ１５０６が、特色ＰＤＬコマンド領域９０４にはＰＤＬコマンド２１０３で表わされる１５０５がそれぞれ格納されている。
【００７７】
ステップＳ１０１６において、メモリ９０１のＰＤＬコマンド領域９０３のＰＤＬコマンド２１０６の用紙指定“PaperFeed”を“1”から“2”に再設定し、ＰＤＬコマンド２１０７として格納し、ステップＳ１０１７へ進む。ステップＳ１０１７において、特色ＰＤＬコマンド領域９０４の特色を特色ＣＭＹＫ変換部９０９において特色リスト２５００に基づきＣＭＹＫの組み合わせに変換する。さらに、ＰＤＬコマンドに基づいて画像形成部９１２において印刷画像を形成し、印刷部９１３で印刷して、ステップＳ１０１８へ進む。この時、ＰＤＬコマンド２１０３で表わされるデータ１５０５はシアン版１５０８、マゼンタ版１５０９、イエロー版１５１０、ブラック版１５１１に変換され、出力結果１５１２を得る。
【００７８】
ステップＳ１０１８において、ＰＤＬコマンド領域９０３に格納されているＰＤＬコマンド１５０７を送信部９１４を通じて他方のシステム９１５へ送信する。この時送信されるＰＤＬコマンド２１０７で表わされるデータ１５０６は、システム９１５においてシアン版１５１４、マゼンタ版１５１５、イエロー版１５１６、ブラック版１５１７で表わされる。さらに、用紙指定“PaperFeed”“2”に基づいて給紙部９２０より、システム９００の出力結果である１５１２を取りこんでその上にこれらを印刷して出力結果１５１８を得る。出力結果１５１８は、特色領域１５２０と通常色領域１５１９とその両方が重なった領域１５２１からなる。
【００７９】
ステップＳ１０１５において、特色ありフラグが立っていない場合は、ステップＳ１０１８へ進む。この時、オーバープリントが指定されているが特色が含まれない処理となり、図１２の通常色同士のオーバープリントとなる。この時、受信ＰＤＬコマンド領域９１７にはＰＤＬコマンド１９０４で表わされるデータ１２０１が格納されている。画像形成部９２２においてシアン版１２０６、マゼンタ版１２０７、イエロー版１２０８、ブラック版１２０９の画像が形成され、印刷部９２３において入力用紙１２０５上に上記各版が印刷されて出力結果１２１０が得られる。出力結果１２１０は、通常色１２１２と１２１１、それらの重なった領域１２１３からなる。
【００８０】
ステップＳ１００５において、オーバープリントが指定されていないと判定された場合は、ステップ１０１９へ進む。ステップＳ１０１９において、メモリ９０１のＰＤＬコマンド領域に全てのオブジェクト部分のコマンドをコピーし、ステップＳ１０１８へ進む。この時、受信ＰＤＬコマンド領域９１７にはＰＤＬコマンド２００２で表わされるデータ１３０１が格納されている。ＰＤＬコマンドに特色指定がある場合は、特色ＣＭＹＫ変換部９２１において特色をシアン版、マゼンタ版、イエロー版、ブラック版に分離して通常色のオブジェクトと合成して上書きする。これにより、画像形成部９２２においてシアン版１３０５、マゼンタ版１３０６、イエロー版１３０７、ブラック版１３０８の画像が形成され、印刷部１１３において入力用紙１３０４上に上記各版が印刷されて出力結果１３０９が得られる。出力結果１３０９は、特色領域１３１１と通常色領域１３１０からなる。或いは、特色が含まれていない場合は、受信ＰＤＬコマンド領域９１７にはＰＤＬコマンド１８０２で表わされるデータ１１０１が格納されている。これにより、画像形成部においてシアン版１１０５、マゼンタ版１１０６、イエロー版１１０７、ブラック版１１０８の画像が形成され、印刷部１１３において入力用紙１１０４上に上記各版が印刷されて出力結果１１０９が得られる。出力結果１１０９は、通常色１１１１と１１１０からなる。
【００８１】
ステップＳ１００２において、システムの接続台数は２台以上でないと判定された場合は、ステップＳ１０２０へ進む。ステップＳ１０２０において、特色指定のオブジェクトが存在しオーバープリントが指定されている場合は一部正確に再現できない場合がある旨の警告をユーザインターフェース９１０に表示してステップＳ１０２１へ進む。ステップＳ１０２１において、受信ＰＤＬコマンド領域９０２のＰＤＬコマンドに基づいて画像形成部９１２において印刷画像を形成し、印刷部９１３で印刷して、終了する。
【００８２】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８３】
１０６  受信部
１０７  ＰＤＬコマンド解析部
１０８  ＰＤＬコマンド分離部
１０９  特色ＣＭＹＫ変換部
１１１  給紙部
１１２  画像形成部
【図１】
2012218379.tif 000003
【図２】
2012218379.tif 000004
【図３】
2012218379.tif 000005
【図４】
2012218379.tif 000006
【図５】
2012218379.tif 000007
【図６】
2012218379.tif 000008
【図７】
2012218379.tif 000009
【図８】
2012218379.tif 000010
【図９】
2012218379.tif 000011
【図１０】
2012218379.tif 000012
【図１１】
2012218379.tif 000013
【図１２】
2012218379.tif 000014
【図１３】
2012218379.tif 000015
【図１４】
2012218379.tif 000016
【図１５】
2012218379.tif 000017
【図１６】
2012218379.tif 000018
【図１７】
2012218379.tif 000019
【図１８】
2012218379.tif 000020
【図１９】
2012218379.tif 000021
【図２０】
2012218379.tif 000022
【図２１】
2012218379.tif 000023
【図２２】
2012218379.tif 000024
【図２３】
2012218379.tif 000025
【図２４】
2012218379.tif 000026
【図２５】
2012218379.tif 000027
【図２６】
2012218379.tif 000028
【図２７】
2012218379.tif 000029
【図２８】
2012218379.tif 000030
【図２９】
2012218379.tif 000031